(57)【特許請求の範囲】
【請求項１】
複数の非接触ＩＣメディアを内蔵した地図と、
地図上の各位置における地図の情報を補足するための付加情報が情報識別子に対応して予め記憶されたメモリと、アンテナから前記非接触ＩＣメディアに記憶された情報を読み取るリーダ／ライタユニットとを有する電子機器と、
を備えた地図情報表示システムであって、
前記地図は、前記複数の非接触ＩＣメディアを地図上の情報源としての各位置にそれぞれ備え、及び、該位置には、前記非接触ＩＣメディアの有無を判別するためのマークがそれぞれつけられ、
各非接触ＩＣメディアは、地図上の該位置における地図の情報を補足するための付加情報が記憶された非接触ＩＣメディア、又は、前記メモリに記憶された付加情報に対応する情報識別子が記憶された非接触ＩＣメディアのいずれかであり、
前記電子機器が、前記非接触ＩＣメディアのひとつに近づけられることで、該非接触ＩＣメディアは前記リーダ／ライタユニットのアンテナから発信された電波によりＩＣが起動して記憶された情報を発信し、前記電子機器の前記リーダ／ライタユニットは、前記非接触ＩＣメディアから発信された情報を読み取り、
前記電子機器は、
読み取った情報が情報識別子か否かにより、情報識別子を受信したか又は付加情報を受信したかを判断し、
前記非接触ＩＣメディアから付加情報を受信したと判断した場合、該付加情報を可聴表示又は可視表示し、
前記非接触ＩＣメディアから情報識別子を受信したと判断した場合、該情報識別子に従って前記メモリを検索して、対応する付加情報を可聴表示又は可視表示する前記地図情報表示システム。
【請求項２】
複数の非接触ＩＣメディアを内蔵した地図と、
コンビニ端末又はキオスク端末と、
前記コンビニ端末又はキオスク端末に挿入されて、前記コンビニ端末又はキオスク端末により、地図上の各位置における地図の情報を補足するための付加情報が情報識別子に対応して予め記憶されるメモリカードと、
メモリカードスロットと、アンテナから前記非接触ＩＣメディアに記憶された情報を読み取るリーダ／ライタユニットとを有する電子機器と、
を備えた地図情報表示システムであって、
前記地図は、前記複数の非接触ＩＣメディアを地図上の情報源としての各位置にそれぞれ備え、及び、該位置には、前記非接触ＩＣメディアの有無を判別するためのマークがそれぞれつけられ、
各非接触ＩＣメディアは、地図上の該位置における地図の情報を補足するための付加情報が記憶された非接触ＩＣメディア、又は、前記メモリに記憶された付加情報に対応する情報識別子が記憶された非接触ＩＣメディアのいずれかであり、
前記電子機器の前記メモリカードスロットに前記メモリカードが差し込まれ、
前記電子機器が、前記非接触ＩＣメディアのひとつに近づけられることで、該非接触ＩＣメディアは前記リーダ／ライタユニットのアンテナから発信された電波によりＩＣが起動して記憶された情報を発信し、前記電子機器の前記リーダ／ライタユニットは、前記非接触ＩＣメディアから発信された情報を読み取り、
前記電子機器は、
読み取った情報が情報識別子か否かにより、情報識別子を受信したか又は付加情報を受信したかを判断し、
前記非接触ＩＣメディアから付加情報を受信したと判断した場合、該付加情報を可聴表示又は可視表示し、
前記非接触ＩＣメディアから情報識別子を受信したと判断した場合、該情報識別子に従って前記メモリカードを検索して、対応する付加情報を可聴表示又は可視表示する前記地図情報表示システム。
【請求項３】
前記付加情報は、観光情報、経路案内情報、ショッピング・グルメ情報、公共施設情報、イベント情報、近隣地域情報、交通機関情報、広告宣伝情報、高齢者用情報、身体障害者用情報のいずれか又は複数であることを特徴とする請求項１又は２に記載の地図情報表示システム。
【請求項４】
前記地図は、非接触ＩＣメディアを接着剤若しくは圧力により貼り付けること、又は、製造工程中で漉き込む若しくは挟むことにより、該非接触ＩＣメディアを内蔵したことを特徴とする請求項１乃至３のいずれかに記載の地図情報表示システム。
【請求項５】
複数の非接触ＩＣメディアを内蔵した地図と、
地図上の各位置における地図の情報を補足するための付加情報が情報識別子に対応して予め記憶されたメモリと、アンテナから前記非接触ＩＣメディアに記憶された情報を読み取るリーダ／ライタユニットとを有する電子機器と、
を備え、
前記地図は、前記複数の非接触ＩＣメディアを地図上の情報源としての各位置にそれぞれ備え、及び、該位置には、前記非接触ＩＣメディアの有無を判別するためのマークがそれぞれつけられ、
各非接触ＩＣメディアは、地図上の該位置における地図の情報を補足するための付加情報が記憶された非接触ＩＣメディア、又は、前記メモリに記憶された付加情報に対応する情報識別子が記憶された非接触ＩＣメディアのいずれかである前記地図情報表示システムを用いて地図の付加情報を得るための地図情報表示方法であって、
前記電子機器が、前記非接触ＩＣメディアのひとつに近づけられることで、該非接触ＩＣメディアは前記リーダ／ライタユニットのアンテナから発信された電波によりＩＣが起動して記憶された情報を発信し、前記電子機器の前記リーダ／ライタユニットは、前記非接触ＩＣメディアから発信された情報を読み取り、
前記電子機器は、
読み取った情報が情報識別子か否かにより、情報識別子を受信したか又は付加情報を受信したかを判断し、
前記非接触ＩＣメディアから付加情報を受信したと判断した場合、該付加情報を可聴表示又は可視表示し、
前記非接触ＩＣメディアから情報識別子を受信したと判断した場合、該情報識別子に従って前記メモリを検索して、対応する付加情報を可聴表示又は可視表示する前記地図情報表示方法。
【請求項６】
複数の非接触ＩＣメディアを内蔵した地図と、
コンビニ端末又はキオスク端末と、
前記コンビニ端末又はキオスク端末に挿入されて、前記コンビニ端末又はキオスク端末により、地図上の各位置における地図の情報を補足するための付加情報が情報識別子に対応して予め記憶されるメモリカードと、
メモリカードスロットと、アンテナから前記非接触ＩＣメディアに記憶された情報を読み取るリーダ／ライタユニットとを有する電子機器と、
を備え、
前記地図は、前記複数の非接触ＩＣメディアを地図上の情報源としての各位置にそれぞれ備え、及び、該位置には、前記非接触ＩＣメディアの有無を判別するためのマークがそれぞれつけられ、
各非接触ＩＣメディアは、地図上の該位置における地図の情報を補足するための付加情報が記憶された非接触ＩＣメディア、又は、前記メモリに記憶された付加情報に対応する情報識別子が記憶された非接触ＩＣメディアのいずれかである前記地図情報表示システムを用いて付加情報を得るための地図情報表示方法であって、
前記電子機器の前記メモリカードスロットに前記メモリカードが差し込まれ、
前記電子機器が、前記非接触ＩＣメディアのひとつに近づけられることで、該非接触ＩＣメディアは前記リーダ／ライタユニットのアンテナから発信された電波によりＩＣが起動して記憶された情報を発信し、前記電子機器の前記リーダ／ライタユニットは、前記非接触ＩＣメディアから発信された情報を読み取り、
前記電子機器は、
読み取った情報が情報識別子か否かにより、情報識別子を受信したか又は付加情報を受信したかを判断し、
前記非接触ＩＣメディアから付加情報を受信したと判断した場合、該付加情報を可聴表示又は可視表示し、
前記非接触ＩＣメディアから情報識別子を受信したと判断した場合、該情報識別子に従って前記メモリカードを検索して、対応する付加情報を可聴表示又は可視表示する前記地図情報表示方法。
【発明の詳細な説明】
【０００１】
【発明の属する技術分野】
本発明は、地図の詳細情報を記憶したメモリー・非接触ＩＣメディアを利用して、図面である地図を補完するデジタル情報を提供できる地図及び地図情報表示方法に関する。
【０００２】
【従来の技術】
従来、地図は、平面的な位置情報を提供するものであり、所定の縮尺で限られたスペースでの視覚情報を提供するものであった。
また、ＣＰＵとメモリーとを内部に備えた非接触ＩＣメディア（コンタクトレスＩＣメディア）を用い、非接触ＩＣメディアとリーダ／ライタユニットとの間で、非接触によりデータの送受信を行い、非接触ＩＣメディアのメモリーにデータを書き込み又はメモリーからデータを読み取り、各種処理を可能とする技術が開発されている。
【０００３】
【発明が解決しようとする課題】
このように、従来の地図は、平面図で視覚的情報の範囲でしか表現できず、せいぜい縮尺の異なる地図を併用して、ナビゲーション情報を得るものであった。
そこで、本発明は以上の点に鑑み、従来の地図にさらに詳細な情報を加える事により、詳細なナビゲーション・案内を実現することを目的とする。また、本発明は、文字・写真・映像・アニメーション・音声等で情報を伝達する事で、誰にでも分かり易く利便性の高い地図情報を提供することを目的とする。さらに本発明は、一般の健常者以外に視聴覚障害のある身体障害者・高年齢者等でもバリアフリーに使用できるようにすることを目的とする。
【０００４】
【課題を解決するための手段】
本発明の第１の解決手段によると、
複数の非接触ＩＣメディアを内蔵した地図と、
地図上の各位置における地図の情報を補足するための付加情報が情報識別子に対応して予め記憶されたメモリと、アンテナから前記非接触ＩＣメディアに記憶された情報を読み取るリーダ／ライタユニットとを有する電子機器と、
を備えた地図情報表示システムであって、
前記地図は、前記複数の非接触ＩＣメディアを地図上の情報源としての各位置にそれぞれ備え、及び、該位置には、前記非接触ＩＣメディアの有無を判別するためのマークがそれぞれつけられ、
各非接触ＩＣメディアは、地図上の該位置における地図の情報を補足するための付加情報が記憶された非接触ＩＣメディア、又は、前記メモリに記憶された付加情報に対応する情報識別子が記憶された非接触ＩＣメディアのいずれかであり、
前記電子機器が、前記非接触ＩＣメディアのひとつに近づけられることで、該非接触ＩＣメディアは前記リーダ／ライタユニットのアンテナから発信された電波によりＩＣが起動して記憶された情報を発信し、前記電子機器の前記リーダ／ライタユニットは、前記非接触ＩＣメディアから発信された情報を読み取り、
前記電子機器は、
読み取った情報が情報識別子か否かにより、情報識別子を受信したか又は付加情報を受信したかを判断し、
前記非接触ＩＣメディアから付加情報を受信したと判断した場合、該付加情報を可聴表示又は可視表示し、
前記非接触ＩＣメディアから情報識別子を受信したと判断した場合、該情報識別子に従って前記メモリを検索して、対応する付加情報を可聴表示又は可視表示する前記地図情報表示システムが提供される。
本発明の第２の解決手段によると、
複数の非接触ＩＣメディアを内蔵した地図と、
コンビニ端末又はキオスク端末と、
前記コンビニ端末又はキオスク端末に挿入されて、前記コンビニ端末又はキオスク端末により、地図上の各位置における地図の情報を補足するための付加情報が情報識別子に対応して予め記憶されるメモリカードと、
メモリカードスロットと、アンテナから前記非接触ＩＣメディアに記憶された情報を読み取るリーダ／ライタユニットとを有する電子機器と、
を備えた地図情報表示システムであって、
前記地図は、前記複数の非接触ＩＣメディアを地図上の情報源としての各位置にそれぞれ備え、及び、該位置には、前記非接触ＩＣメディアの有無を判別するためのマークがそれぞれつけられ、
各非接触ＩＣメディアは、地図上の該位置における地図の情報を補足するための付加情報が記憶された非接触ＩＣメディア、又は、前記メモリに記憶された付加情報に対応する情報識別子が記憶された非接触ＩＣメディアのいずれかであり、
前記電子機器の前記メモリカードスロットに前記メモリカードが差し込まれ、
前記電子機器が、前記非接触ＩＣメディアのひとつに近づけられることで、該非接触ＩＣメディアは前記リーダ／ライタユニットのアンテナから発信された電波によりＩＣが起動して記憶された情報を発信し、前記電子機器の前記リーダ／ライタユニットは、前記非接触ＩＣメディアから発信された情報を読み取り、
前記電子機器は、
読み取った情報が情報識別子か否かにより、情報識別子を受信したか又は付加情報を受信したかを判断し、
前記非接触ＩＣメディアから付加情報を受信したと判断した場合、該付加情報を可聴表示又は可視表示し、
前記非接触ＩＣメディアから情報識別子を受信したと判断した場合、該情報識別子に従って前記メモリカードを検索して、対応する付加情報を可聴表示又は可視表示する前記地図情報表示システムが提供される。
【０００５】
本発明の第３の解決手段によると、
複数の非接触ＩＣメディアを内蔵した地図と、
地図上の各位置における地図の情報を補足するための付加情報が情報識別子に対応して予め記憶されたメモリと、アンテナから前記非接触ＩＣメディアに記憶された情報を読み取るリーダ／ライタユニットとを有する電子機器と、
を備え、
前記地図は、前記複数の非接触ＩＣメディアを地図上の情報源としての各位置にそれぞれ備え、及び、該位置には、前記非接触ＩＣメディアの有無を判別するためのマークがそれぞれつけられ、
各非接触ＩＣメディアは、地図上の該位置における地図の情報を補足するための付加情報が記憶された非接触ＩＣメディア、又は、前記メモリに記憶された付加情報に対応する情報識別子が記憶された非接触ＩＣメディアのいずれかである前記地図情報表示システムを用いて地図の付加情報を得るための地図情報表示方法であって、
前記電子機器が、前記非接触ＩＣメディアのひとつに近づけられることで、該非接触ＩＣメディアは前記リーダ／ライタユニットのアンテナから発信された電波によりＩＣが起動して記憶された情報を発信し、前記電子機器の前記リーダ／ライタユニットは、前記非接触ＩＣメディアから発信された情報を読み取り、
前記電子機器は、
読み取った情報が情報識別子か否かにより、情報識別子を受信したか又は付加情報を受信したかを判断し、
前記非接触ＩＣメディアから付加情報を受信したと判断した場合、該付加情報を可聴表示又は可視表示し、
前記非接触ＩＣメディアから情報識別子を受信したと判断した場合、該情報識別子に従って前記メモリを検索して、対応する付加情報を可聴表示又は可視表示する前記地図情報表示方法が提供される。
本発明の第４の解決手段によると、
複数の非接触ＩＣメディアを内蔵した地図と、
コンビニ端末又はキオスク端末と、
前記コンビニ端末又はキオスク端末に挿入されて、前記コンビニ端末又はキオスク端末により、地図上の各位置における地図の情報を補足するための付加情報が情報識別子に対応して予め記憶されるメモリカードと、
メモリカードスロットと、アンテナから前記非接触ＩＣメディアに記憶された情報を読み取るリーダ／ライタユニットとを有する電子機器と、
を備え、
前記地図は、前記複数の非接触ＩＣメディアを地図上の情報源としての各位置にそれぞれ備え、及び、該位置には、前記非接触ＩＣメディアの有無を判別するためのマークがそれぞれつけられ、
各非接触ＩＣメディアは、地図上の該位置における地図の情報を補足するための付加情報が記憶された非接触ＩＣメディア、又は、前記メモリに記憶された付加情報に対応する情報識別子が記憶された非接触ＩＣメディアのいずれかである前記地図情報表示システムを用いて付加情報を得るための地図情報表示方法であって、
前記電子機器の前記メモリカードスロットに前記メモリカードが差し込まれ、
前記電子機器が、前記非接触ＩＣメディアのひとつに近づけられることで、該非接触ＩＣメディアは前記リーダ／ライタユニットのアンテナから発信された電波によりＩＣが起動して記憶された情報を発信し、前記電子機器の前記リーダ／ライタユニットは、前記非接触ＩＣメディアから発信された情報を読み取り、
前記電子機器は、
読み取った情報が情報識別子か否かにより、情報識別子を受信したか又は付加情報を受信したかを判断し、
前記非接触ＩＣメディアから付加情報を受信したと判断した場合、該付加情報を可聴表示又は可視表示し、
前記非接触ＩＣメディアから情報識別子を受信したと判断した場合、該情報識別子に従って前記メモリカードを検索して、対応する付加情報を可聴表示又は可視表示する前記地図情報表示方法が提供される。
【０００６】
【発明の実施の形態】
（動作概要）
本実施の形態では、例えば、非接触ＩＣメディアから個々の観光名所の情報識別子を取得し、メモリー上の観光情報を市販されている携帯電話、モバイルＰＤＡ等の電子機器に表示することができる。
【０００７】
利用者は、メモリーカードを持参した電子機器に差し込み、さらに、リーダ／ライタユニットを装着した電子機器のリーダ／ライタ部を自分の行きたいと思った場所に近づける事により、目的地の地図情報を補完する付加情報（景観、場内の案内図、展示物、交通案内等）が、装着したメモリーから携帯機器上に音・音声等による解説、写真・絵文字等の静止画又は動画等で表示される。
【０００８】
（ハード機器）
図１に、電子機器の構成図を示す。
電子機器１は、ＰＣ、ＰＤＡ、携帯電話、パソコン等である。例えば、電子機器１は、ＣＦカードタイプコネクタ１１とメモリーカードスロット１２付きの機種である。
内部メモリーは、３２ＭＢ以上。ＯＳは、Ｗｉｎｄｏｗｓ  ＣＥ（商標）を基準とすることができる。電子機器１は、また、リーダ／ライタユニット３を備える。リーダ／ライタユニット３のアンテナ部３１は、ペン先形状にしてポイントしやすくしてもよい。また、リーダ／ライタユニット３のアンテナ部３１は、ペンタイプの形状としてもよい。コネクタ１１は、ＣＦタイプとし、リーダ／ライタユニット３は、電子機器１のＣＦカードタイプコネクタ１１に接続される。さらに、電子機器１は、表示部１３、スピーカー１４、イヤホン端子１５等を備える。
メモリー５は、メモリーカードスロット１２に接続される。メモリー５は、ＳＤカード・メモリースティック等の適宜の記録媒体を用いてもよいし、電子機器に内蔵のメモリーを用いてもよい。メモリー５には、この実施の形態では、観光名所のための情報と観光案内のためのプログラムが記憶されている。利用者はコンビニ端末、キオスク等で、メモリー５に記憶される「観光システム」＋「観光データ」を購入することができる。その際、市販のメモリーをコンビニ端末に挿入し、利用者が欲しい観光地のデータを選択購入できる。さらに、電子機器1は、位置識別子に対応した付加情報をサーバにアクセス又は外部機器から読み込むことで、メモリー５に該付加情報を記憶するようにすることができる。
図２に、付加情報のフォーマット構成図を示す。このように、メモリー５には、電子識別子に対応して付加情報が記憶されている。
【０００９】
（地図）
図３に、非接触ＩＣメディアを備えた地図の構成図の一例を示す。
この例では、地図上の観光名所（京都駅周辺）には、非接触ＩＣメディアが製本時に挟み込まれている（■で表示）。この非接触ＩＣメディアは、判別しやすいようにマークをつけてもよい。
地図に備えられる非接触ＩＣメディアが存在する位置は、例えば、大きさ、縦０．４mm×横０．４mm×厚さ0.06mm、メモリー、１２８bits、回路、２．４５GHｚ  アナログ回路搭載のものを使用することができるが、これに限らず適宜のものを用いてよい。
【００１０】
（フローチャート）
図４に、付加情報を表示するためのフローチャートを示す。本実施の形態では、主に、ＰＣ・ＰＤＡ・携帯電話等の電子機器に組み込み、あるいは取り付けられた非接触ＩＣメディアのリーダ／ライタユニットを使用して、地図内の非接触ＩＣメディアから書き込まれた情報を読み、ＰＣ・ＰＤＡ・携帯電話等の電子機器の表示部に当該の情報を可視表示、あるいはスピーカ・イヤホン等により可視表示して利用者に情報を伝達する。各ステップ処理は、電子機器内のＣＰＵが実行する。
【００１１】
利用者は、ＰＣ・ＰＤＡ・携帯電話等の電子機器に付けた非接触ＩＣメディアのリーダ／ライタユニットを、地図上の自分が行きたい・知りたい場所等にそのアンテナ部をポイントする（Ｓ０１）。なお、電子機器は、ポイント等により自動的にプログラムが起動する設計とすることができる。地図に組み込まれている非接触ＩＣメディアは、リーダ／ライタユニットのアンテナ部から発信された電波によりＩＣが起動し、内部に書き込まれた情報を外部向けて発信する（Ｓ０３）。
地図の非接触ＩＣメディアから発信された情報は、電子機器のリーダ／ライタユニットのアンテナ部で受信される（Ｓ０５）。なお、付加情報が受信されない場合は、ステップＳ０１に戻る。受信した情報が情報識別子であるなら電子機器のメモリー上を検索して（Ｓ０９）、該当する付加情報を読み出す。インデックスデータでなければ、付加情報であるので、そのデータを、電子機器の表示部に可視表示、あるいはスピーカ・イヤホン等から音声で可聴表示して利用者に情報を伝達する（Ｓ１１）。なお、インデックスデータがあるか否かの識別は、例えば、非接触ＩＣメディアからの情報のヘッダにより識別する方法、数字かそれ以外かで識別する方法等、適宜の手段を用いることができる。また、非接触ＩＣメディアから受信した情報を、電子機器の内部メモリーまたはそれに接続されたメモリーカード等の外部メモリーに記憶し、必要に応じてインデックスデータまたは他の指定手段により所望の付加情報を表示するようにしてもよい。
【００１２】
（付加情報）
本実施の形態では、平面図である地図を補完する詳細な付加情報を、利用者が簡単に得る事が出来るようにして、誰にでも分かり易く利便性の高い地図とする。表示方法としては、例えば、文字・写真・映像・アニメーション・音声等の適宜の可聴・可視表示手段による。
・詳細な付加情報を、以下に例示する。
（１）神社仏閣、遺跡、博物館、資料館等の文化教育施設の住所、ナビゲーション、解説、四季折々の風景等の観光情報
（２）道路交差点付近の風景と道案内図、目的地までの経路・利用交通機関・ナビゲーション、タクシー乗り場、バス停、等の経路案内情報
（３）お土産屋、商店街、レストラン、デパート等のショッピング・グルメ情報
（４）県庁、市庁、警察、消防署等の公共施設情報
（５）非常災害時の避難経路と避難場所、危険地域・建物、備蓄庫の位置、災害時の心得等の非常災害情報
（６）ホテル、映画館、劇場、公園、病院、警察、消防、市役所、学校、バス停、駅等の各種施設情報
（７）花火大会やお祭り、定期的又は非定期的なコンサート、スポーツ、会議、展示会等のイベント開催情報
（８）地図上に示された場所の住所、マンション、ビル、建物等の近隣地域情報
（９）タクシー乗り場、バス停、バス、鉄道、地下鉄、飛行機、船等の案内、交通機関の場合は、空港、港、駅やバス停での時刻表、乗り換え案内、駅構内案内等の交通情報
（１０）商品や企業の広告宣伝情報
（１１）高齢者・障害者用の情報
【００１３】
（地図の構成）
非接触ＩＣメディアを備えた地図は、例えば、以下のように製造して提供されることができる。
・ 非接触ＩＣメディアを糊や圧力などで貼り付けた紙・シートに印刷した地図
・ 製造工程で漉き込む、はさみ込む等の方法で内蔵させた紙・シートに印刷した地図
・ 既存の印刷された地図上に糊や圧力などで貼り付けた地図
なお、地図の材質は紙に限らず、透明シート、高分子シート等の適宜の材質を用いることができる。
【００１４】
（表示例）
非接触ＩＣメディアは、例えば地図の各ページ上の全ての神社仏閣の場所に埋め込まれていて、通し番号データ又はユニークな番号データ等による情報識別子を記憶しておく。メモリーは、例えば添付資料にある「東福寺」の写真・内容説明（下記『』内）の補足データをインデックスデータに対応して、記憶しておく。付加情報の内容は、例えば次の通りである。
・名所までの案内、案内図等
・観覧時間、料金、休日、電話番号、特別観覧等のイベント案内等
・近隣の案内・・・・お土産屋、グルメ、宿泊案内等
モバイル機器には、例えば、次のような表示がされる。
『東福寺−京都五山にも並ぶ大寺院で、約５万坪の広大な敷地に、約２０の塔頭寺院が立ち並ぶ。…境内の諸堂の多くは国宝や国の重要文化財に指定されている。
料金  ：境内無料、方丈・開山堂＝×××円、分陀院＝×××円
時間  ：  ９：００〜１６：００
駐車  ：××台
住所  ：京都市東山区本町××−×××
電話  ：０７５−５６１−××××
特別公開  ：×月××日〜××日には、釈迦涅槃図が一般公開される。
見所  ：京都屈指の紅葉の名所で、２０００本の紅葉は特に素晴らしい。』
この様に、各ＩＣメディアを埋め込まれた神社仏閣に対応させて、付加情報のデータがメモリー上に記憶されている。このデータを、非接触ＩＣメディアの内容をリーダ／ライタユニットで読むたび、電子機器のＣＰＵはそのインデックスに該当する付加情報をメモリーから検索し、ディスプレイ上に表示したり、音声で案内したりする。
非接触ＩＣメディアが、情報識別子のみを受信する場合、ステップＳ０７を省略することもできる。また、非接触ＩＣメディアが、インデックスデータを使用しない場合、ステップＳ０７、Ｓ０９を省略して、ダイレクトに付加情報を表示することができる。
【００１５】
なお、上述の実施の形態では、地図について説明したが、本発明は、地図以外の各種の印刷物に非接触ＩＣメディアを埋め込み、各種の情報を電子機器に表示するように適用することも可能である。また、本発明の地図情報表示方法又は地図情報表示装置・システムは、その各手順をコンピュータに実行させるための地図情報表示処理プログラム、地図情報表示処理プログラムを記録したコンピュータ読み取り可能な記録媒体、地図情報表示処理プログラムを含みコンピュータの内部メモリーにロード可能なプログラム製品、そのプログラムを含むサーバ等のコンピュータ、等により提供されることができる。
【００１６】
【発明の効果】
本発明は、従来の地図にさらに詳細な情報を加える事により、詳細なナビゲーション・案内を実現することができる。また、本発明は、文字・写真・映像・アニメーション・音声等で情報を伝達する事で、誰にでも分かり易く利便性の高い地図を提供することができる。さらに、本発明は、健常者だけの利用はでなく視聴覚障害のある身体障害者・高年齢者等でもバリアフリーに使用できる。
本発明によると、以上のように、特有の効果を奏する。
１）写真、文字・音声による解説、アニメーション・動画等で表示されるため、バリアフリーの案内ができる。
２）観光名所ごとに詳細案内ができる。
３）１つのシステム構成で、メモリーを差し替えればあらゆる観光地の観光案内ができる。
４）地図から観光名所が検索できる。
【図面の簡単な説明】
【図１】携帯機器の構成図
【図２】付加情報のフォーマット構成図
【図３】非接触ＩＣメディアを備えた地図の構成図
【図４】付加情報を表示するためのフローチャート
【符号の説明】
１          電子機器
３          リーダ／ライタユニット
５          メモリーカード
１１        ＣＦカードタイプコネクタ
１２        メモリーカードスロット
１３        表示部
１４        スピーカー
１５        イヤホン端子
３１        アンテナ部
【図１】
0004009466.tif 000002
【図２】
0004009466.tif 000003
【図３】
0004009466.tif 000004
【図４】
0004009466.tif 000005